(57)【要約】【課題】ユーザの個別の事情に応じて適切に機器を制御する。【解決手段】  コントローラ１２０は、宅内に設置される機器と部屋とを対応付ける機器−部屋対応付けテーブルと、部屋とユーザとを対応付ける部屋−ユーザ対応付けテーブルと、ユーザのスケジュールとを記憶する。コントローラ１２０は、部屋−ユーザ対応付けテーブルを参照して、スケジュールに対応付けられているユーザに対応する部屋を判別し、機器−部屋対応付けテーブルを参照して、判別した部屋に対応する機器を判別する。コントローラ１２０は、判別した機器を制御する。【選択図】図１
2014230480.tif 000002
【特許請求の範囲】
【請求項１】
宅内に設置される機器と部屋とを対応付ける機器−部屋対応付けテーブルと、前記部屋とユーザとを対応付ける部屋−ユーザ対応付けテーブルとを予め記憶するテーブル記憶部と、
ユーザのスケジュールを記憶するスケジュール記憶部と、
前記部屋−ユーザ対応付けテーブルを参照して、前記スケジュールに対応付けられているユーザに対応する部屋を判別し、前記機器−部屋対応付けテーブルを参照して、前記判別した部屋に対応する機器を判別する判別部と、
前記判別された機器を制御する機器制御部と、
を備えることを特徴とするエネルギーマネジメントコントローラ。
【請求項２】
宅内に設置される機器と部屋とを対応付ける機器−部屋対応付けテーブルと、前記部屋とユーザとを対応付ける部屋−ユーザ対応付けテーブルとを予め記憶するテーブル記憶部と、
宅内の間取りを表す画像を表示し、ユーザの操作に従って、特定のユーザと前記間取り内の部屋とを対応付けて、前記部屋−ユーザ対応付けテーブルを更新する更新部と、
ユーザが宅内にいるか否かを示すユーザ状態と、前記機器−部屋対応付けテーブルと、前記部屋−ユーザ対応付けテーブルとに基づいて、前記ユーザ状態が変化したユーザに対応する機器を判別する判別部と、
前記判別された機器を制御する機器制御部と、
を備えることを特徴とするエネルギーマネジメントコントローラ。
【請求項３】
宅内に設置される機器と部屋とを対応付ける機器−部屋対応付けテーブルと、前記部屋とユーザとを対応付ける部屋−ユーザ対応付けテーブルとを予め記憶するテーブル記憶部と、
ユーザのスケジュールを記憶するスケジュール記憶部と、
前記部屋−ユーザ対応付けテーブルを参照して、前記スケジュールに対応付けられているユーザに対応する部屋を判別し、前記機器−部屋対応付けテーブルを参照して、前記判別した部屋に対応する機器を判別する判別部と、
前記判別された機器を制御する機器制御部と、
を備えることを特徴とするエネルギーマネジメントシステム。
【請求項４】
宅内に設置される機器と部屋とを対応付ける機器−部屋対応付けテーブルと、前記部屋とユーザとを対応付ける部屋−ユーザ対応付けテーブルとを予め記憶するテーブル記憶部と、
宅内の間取りを表す画像を表示し、ユーザの操作に従って、特定のユーザと前記間取り内の部屋とを対応付けて、前記部屋−ユーザ対応付けテーブルを更新する更新部と、
ユーザが宅内にいるか否かを示すユーザ状態と、前記機器−部屋対応付けテーブルと、前記部屋−ユーザ対応付けテーブルとに基づいて、前記ユーザ状態が変化したユーザに対応する機器を判別する判別部と、
前記判別された機器を制御する機器制御部と、
を備えることを特徴とするエネルギーマネジメントシステム。
【請求項５】
ユーザのスケジュールと、宅内の部屋とユーザとを対応付ける部屋−ユーザ対応付けテーブルとに基づいて、前記スケジュールに対応付けられているユーザに対応する部屋を判別し、宅内に設置される機器と前記部屋とを対応付ける機器−部屋対応付けテーブルを参照して、前記判別した部屋に対応する機器を判別する判別ステップと、
前記判別された機器を制御する機器制御ステップと、
を備えることを特徴とするエネルギーマネジメント方法。
【請求項６】
ユーザが宅内にいるか否かを示すユーザ状態と、宅内の部屋とユーザとを対応付ける部屋−ユーザ対応付けテーブルと、宅内に設置される機器と前記部屋とを対応付ける機器−部屋対応付けテーブルとに基づいて、前記ユーザ状態が変化したユーザに対応する機器を判別する判別ステップと、
前記判別された機器を制御する機器制御ステップと、
宅内の間取りを表す画像を表示し、ユーザの操作に従って、特定のユーザと前記間取り内の部屋とを対応付けて、前記部屋−ユーザ対応付けテーブルを更新する更新ステップと、
を備えることを特徴とするエネルギーマネジメント方法。
【請求項７】
コンピュータを、
ユーザのスケジュールと、宅内の部屋とユーザとを対応付ける部屋−ユーザ対応付けテーブルとに基づいて、前記スケジュールに対応付けられているユーザに対応する部屋を判別し、宅内に設置される機器と前記部屋とを対応付ける機器−部屋対応付けテーブルを参照して、前記判別した部屋に対応する機器を判別する判別部、
前記判別された機器を制御する機器制御部、
として機能させることを特徴とするプログラム。
【請求項８】
コンピュータを、
宅内の間取りを表す画像を表示し、ユーザの操作に従って、特定のユーザと前記間取り内の部屋とを対応付けることで、部屋−ユーザ対応付けテーブルを更新する更新部、
ユーザが宅内にいるか否かを示すユーザ状態と、宅内に設置される機器と部屋とを対応付ける機器−部屋対応付けテーブルと、前記部屋−ユーザ対応付けテーブルとに基づいて、前記ユーザ状態が変化したユーザに対応する機器を判別する判別部、
前記判別された機器を制御する機器制御部、
として機能させることを特徴とするプログラム。
【発明の詳細な説明】
【技術分野】
【０００１】
本発明は、ユーザの個別の事情に応じて適切に機器を制御するエネルギーマネジメントコントローラ、エネルギーマネジメントシステム、エネルギーマネジメント方法、及び、プログラムに関する。
【背景技術】
【０００２】
宅内（需要家内）で消費される電力エネルギーを制御するシステムがある。例えば、特許文献１には、自立運転可能な電力供給手段と少なくとも１つの負荷を有する需要家内に設けられ、電力供給手段と負荷とを制御するＨＥＭＳ（Home Energy Management System）が開示されている。
【０００３】
また、特許文献２には、ユーザが新しい機器を宅内に設置したときに、簡便な作業で直感的に設置位置の設定を入力できるとされるネットワークシステムが開示されている。このネットワークシステムは、家庭内ネットワークに機器が新たに接続されたと判別すると、対応するアイコン画像を取得し、間取り画像の側近位置にアイコン画像を重ね表示する。
【先行技術文献】
【特許文献】
【０００４】
【特許文献１】特開２０１２−２２８０４３号公報
【特許文献２】特開２００５−１９８２５２号公報
【発明の概要】
【発明が解決しようとする課題】
【０００５】
しかしながら、アイコン画像の重ね表示により部屋と機器との対応付けが作成されるものの、その機器を主に使用するユーザが誰なのかを特定できないため、ユーザの行動に適した機器の制御ができないという問題があった。
【０００６】
本発明は、上述の事情のもとになされたもので、ユーザの個別の事情に応じて適切に機器を制御することを目的とする。
【課題を解決するための手段】
【０００７】
上記目的を達成するため、本発明に係るエネルギーマネジメントコントローラは、
宅内に設置される機器と部屋とを対応付ける機器−部屋対応付けテーブルと、前記部屋とユーザとを対応付ける部屋−ユーザ対応付けテーブルとを予め記憶するテーブル記憶部と、
ユーザのスケジュールを記憶するスケジュール記憶部と、
前記部屋−ユーザ対応付けテーブルを参照して、前記スケジュールに対応付けられているユーザに対応する部屋を判別し、前記機器−部屋対応付けテーブルを参照して、前記判別した部屋に対応する機器を判別する判別部と、
前記判別された機器を制御する機器制御部と、
を備える。
【発明の効果】
【０００８】
ユーザの個別の事情に応じて適切に機器を制御することができる。
【図面の簡単な説明】
【０００９】
【図１】エネルギーマネジメントシステムの構成を示す図である。
【図２】宅内の部屋の配置と電化製品の配置の一例を示す図である。
【図３】コントローラの構成を示す図である。
【図４】（ａ）レイアウト定義テーブルの構成例を示す図である。（ｂ）基本情報入力画面の構成例を示す図である。
【図５】（ａ）機器−部屋対応付けテーブルの構成例を示す図である。（ｂ）部屋と機器との対応付けを入力する画面の構成例を示す図である。
【図６】（ａ）部屋−ユーザ対応付けテーブルの構成例を示す図である。（ｂ）部屋とユーザとの対応付けを入力する画面の構成例を示す図である。
【図７】スケジュール表の構成例を示す図である。
【図８】エネルギーマネジメント処理を説明するためのフローチャートである。
【図９】機器−部屋対応付けテーブルの構成例を示す図である。
【図１０】スケジュール表の構成例を示す図である。
【図１１】端末装置−ユーザ対応付けテーブルの構成例を示す図である。
【発明を実施するための形態】
【００１０】
以下、本発明の実施形態を、図面を参照しながら説明する。
【００１１】
（実施形態１）
図１に、本実施形態に係るエネルギーマネジメントシステム１の構成を示す。エネルギーマネジメントシステム１は、宅内（需要家内）に設置される様々な機器及びシステムによって消費される電力量を監視し、また、各機器及びシステムの動作を制御する。例えば、宅内ネットワーク１０には、自立切替盤１０１、空気調和機（以下「空調機」という。いわゆるエアコン。）１０２、換気システム１０３、テレビジョン受像機や照明器具などその他の家電機器１０４、床暖房システム１０５、ＩＨ（Induction Heating）クッキングヒータ１０６、給湯システム１０７が含まれる。
【００１２】
また、宅内ネットワーク１０には、太陽光などを用いた発電システム１０８、蓄電池を備える蓄電システム１０９、随時切り離し可能であり蓄電池を備える電気自動車１１０、コントローラ１２０が含まれる。
【００１３】
エネルギーマネジメントシステム１の宅内電灯線（図示せず）は、自立切替盤１０１を介して、電力会社の商用電源と接続される。
【００１４】
自立切替盤１０１と空調機１０２と換気システム１０３と家電機器１０４と床暖房システム１０５とＩＨ調理器１０６と給湯システム１０７と発電システム１０８と蓄電システム１０９と電気自動車１１０とコントローラ１２０は、宅内電灯線に接続され、商用電源と発電システム１０８と蓄電システム１０９と電気自動車１１０とのうち少なくともいずれか１つから電力の供給を受ける。
【００１５】
また、これらの各機器もしくはシステムは、それぞれ、図示しない無線通信装置を備えており、無線により互いに通信が可能である。ただし、通信の一部又は全部は有線により行われてもよい。
【００１６】
更に、エネルギーマネジメントシステム１内の宅内電灯線の複数箇所には、図示しない電力計測装置が設置されており、空調機１０２、換気システム１０３、家電機器１０４、床暖房システム１０５、ＩＨクッキングヒータ１０６、給湯システム１０７、発電システム１０８、蓄電システム１０９により消費される電力量等を逐次検出することができる。計測結果はコントローラ１２０に送信される。
【００１７】
宅内ネットワーク１０は、サーバ３０と端末装置４０と通信ネットワーク５０とから構成される宅外ネットワーク２０に繋がっている。通信ネットワーク５０は、典型的にはインターネットである。ユーザは、宅内ネットワーク１０内にある各機器及びシステムを、宅外ネットワーク２０にある端末装置４０を用いた遠隔操作により操作することが可能である。
【００１８】
端末装置４０は、無線通信により、宅内ネットワーク１０及び宅外ネットワーク２０にアクセス可能である。例えば、携帯電話機、パーソナルコンピュータ、タブレット型端末などである。ユーザは、宅内はもちろんのこと、宅外にも端末装置４０を持ち歩いて操作することができる。
【００１９】
エネルギーマネジメントシステム１の動作モードには、大きく分けて２種類の運転モードがある。一つは、自立切替盤１０１によって宅内電灯線が商用電源と繋げられ、商用電源から電力の供給を受ける連携モードである。連携モードでは、発電システム１０８によって発電された電力を商用電源へ供給する（売電する）ことも可能である。
【００２０】
もう一つは、自立切替盤１０１によって宅内電灯線が商用電源から切り離され、商用電源から電力の供給を受けずに、発電システム１０８によって発電された電力、及び／又は、蓄電システム１０９に蓄えられた電力、及び／又は、電気自動車１１０に蓄えられた電力、を宅内に供給する自立運転モードである。
【００２１】
運転モードの切り替えは、自立切替盤１０１によって検知される、商用電源からの電力の供給状態を示す検知結果に基づいて、自立切替盤１０１によって行われる。典型的には、商用電源が停電すると自立運転モードに設定され、商用電源が停電していないときには連携モードに設定される。
【００２２】
図１に示す宅内の各機器及びシステムは、宅内の任意の場所に設置可能である。図２に、宅内の部屋の配置と、宅内に設置される家電機器１０４等の配置の一例を示す。図２に示すように、本実施形態の宅内には、７つの空間、すなわち、リビング２１０、トイレ２２０、浴室２３０、キッチン２４０、寝室２５０、書斎２６０、子供部屋２７０がある。それぞれの空間には次のように様々な家電機器が設置される。
【００２３】
リビングＡには、例えば、照明機器１０４Ａ−１、空調機１０２Ａ、テレビジョン受像機（図２には“ＴＶ”と記載。）１０４Ａ−２、電力によって加温する床暖房システム１０５が設置される。
【００２４】
トイレＢには、例えば、照明機器１０４Ｂ−１、温水便座１０４Ｂ−２が設置される。
【００２５】
浴室Ｃには、例えば、照明機器１０４Ｃ−１、給湯システム１０７が設置される。
【００２６】
キッチンＤには、例えば、照明機器１０４Ｄ−１、ＩＨクッキングヒータ（図２には“ＩＨＣＨ”と記載。）１０６、冷凍・冷蔵庫１０４Ｄ−２が設置される。
【００２７】
寝室Ｅには、例えば、照明機器１０４Ｅ−１、空調機１０２Ｅ、テレビジョン受像機１０４Ｅ−２が設置される。
【００２８】
書斎Ｆには、例えば、照明機器１０４Ｆ−１が設置される。
【００２９】
子供部屋Ｇには、例えば、照明機器１０４Ｇ−１、パーソナルコンピュータ（図２には“ＰＣ”と記載。）１０４Ｇ−２が設置される。
【００３０】
各部屋Ａ〜Ｇの中に記した各機器及びシステムは、それぞれ、コントローラ１２０との間で通信し、コントローラ１２０による動作の制御が可能である。
【００３１】
なお、図２に示した間取り、各部屋に設置される機器及びシステムの種類、機器の数、機器の設置場所は、一例に過ぎず、本発明によって限定されない。
【００３２】
次に、コントローラ１２０の構成について説明する。コントローラ１２０は、エネルギーマネジメントシステム１の全体を監視し、制御する。図３に示すように、コントローラ１２０は、入力部３０１、表示部３０２、記憶部３０３、通信部３０４、制御部３０５を備える。
【００３３】
入力部３０１は、ボタン、キーボード、タッチパネル等の入力デバイスを備える。入力部３０１は、ユーザからの指示入力を受け付ける。
【００３４】
表示部３０２は、液晶ディスプレイ等の表示デバイスを備える。
【００３５】
記憶部３０３は、不揮発性メモリを備える。記憶部３０３は、制御部３０５により実行されるプログラムのほか、宅内の部屋のレイアウトを定義するレイアウト定義テーブル、コントローラ１２０による制御対象の各機器の宅内における設置場所を定義する機器−部屋対応付けテーブル、各機器とユーザとの対応付けを定義する部屋−ユーザ対応付けテーブルなどを記憶する。詳細は後述する。
【００３６】
通信部３０４は、ＮＩＣ（Network Interface Card）を備え、エネルギーマネジメントシステム１内の各装置と無線で通信する。
【００３７】
制御部３０５は、ＣＰＵ（Central Processing Unit）、オペレーティングシステムなどのプログラムを記憶するＲＯＭ（Read Only Memory）、ワークエリアとなるＲＡＭ（Random Access Memory）等を備える。制御部３０５は、記憶部３０３に記憶されているプログラムを実行し、コントローラ１２０の全体を制御する。
【００３８】
例えば、制御部３０５は、ユーザが宅内にいるか否かを示すユーザ状態を記憶部３０３に記憶し、適宜更新する。
【００３９】
コントローラ１２０として、一般的なサーバ、メインフレーム、パーソナルコンピュータ等を採用することができる。
【００４０】
図４（ａ）に、２階建ての一戸建て住宅におけるレイアウト定義テーブル４００の構成例を示す。レイアウト定義テーブル４００には、部屋の識別番号と、部屋がある階数と、部屋の名称と、部屋の広さとが対応付けて記憶される。制御部３０５は、ユーザからの入力に基づいて、レイアウト定義テーブル４００を適宜変更することができる。
【００４１】
制御部３０５は、レイアウト定義テーブル４００と、建物の外見等を表す所定のテンプレート画像データとに基づいて、図２に示すような建物の概略図面を作成し、ディスプレイに表示することができる。概略図面は現実を忠実に再現する厳密なものでなくてもよく、機器が設置されている部屋をユーザが視認できるものであればよい。なお、制御部３０５が概略図面を作成する手法は本発明によって限定されない。
【００４２】
図４（ｂ）に、エネルギーマネジメントシステム１の基本情報入力画面の構成例を示す。この基本情報入力画面は、例えばエネルギーマネジメントシステム１のセットアップ時にディスプレイに表示される。ユーザは、間取りや家族構成などの基本情報を入力する。制御部３０５は、入力内容に基づいて、レイアウト定義テーブル４００を作成する。
【００４３】
図５（ａ）に、機器−部屋対応付けテーブル５００の構成例を示す。機器−部屋対応付けテーブル５００には、部屋の識別番号と対応付けて、その部屋の中に設置される機器の識別番号と、その機器の名称と、が記憶される。機器の定格電力などの特性値が更に記憶されてもよい。
【００４４】
例えば、ユーザは、機器を購入して部屋の中に設置すると、コントローラ１２０を操作して機器−部屋対応付けテーブル５００の編集画面を表示させ、機器を設置した部屋や機器の名称等を入力する。制御部３０５は、ユーザからの入力に基づいて、機器−部屋対応付けテーブル５００を適宜変更する。
【００４５】
図５（ｂ）に、部屋と機器との対応付けを入力する画面の構成例を示す。例えば、ユーザは、機器を表すアイコン５０１（本図中では５０１Ａ，５０１Ｂ，５０１Ｃの３つ）を、設置した部屋を表す枠内にドラッグして移動する。制御部３０５は、この画面を用いた入力内容に基づいて、機器−部屋対応付けテーブル５００を生成する。
【００４６】
コントローラ１２０が機器の型番やシリアルナンバーの入力をユーザから受け付けてインターネット上のサーバ（図示せず）に送信し、サーバが型番やシリアルナンバーに対応する機器の定格電力などの特性値を所定のデータベースから取得してコントローラ１２０へ送信し、コントローラ１２０がサーバから取得した特性値を用いて機器−部屋対応付けテーブル５００を更新してもよい。
【００４７】
図６（ａ）に、部屋−ユーザ対応付けテーブル６００の構成例を示す。部屋−ユーザ対応付けテーブル６００には、部屋の識別番号と対応付けて、その部屋を主に使用する人を示す情報が記憶される。例えば、識別番号“Ａ０１”の部屋には、「父」「母」「子」の３人が対応付けられる。
【００４８】
図６（ｂ）に、部屋とユーザとの対応付けを入力する画面の構成例を示す。例えば、ユーザは、ユーザを表すアイコン６０１（本図中では６０１Ａ，６０１Ｂ，６０１Ｃの３つ）を、設置した部屋を表す枠内にドラッグして移動する。制御部３０５は、この画面を用いた入力内容に基づいて、部屋−ユーザ対応付けテーブル６００を生成する。
【００４９】
機器−部屋対応付けテーブル５００と部屋−ユーザ対応付けテーブル６００とを組み合わせると、部屋の識別番号が共通キーであることから、機器とユーザとの対応関係が得られる。
【００５０】
すなわち、図５（ａ）の機器−部屋対応付けテーブル５００によれば、識別番号“Ａ０１”の部屋には識別番号“０００１”の照明機器と、識別番号“０００２”の室内機と、識別番号“０００３”のテレビジョン受像機（ＴＶ）が対応付けられている。また、図６（ａ）の部屋−ユーザ対応付けテーブル６００によれば、識別番号“Ａ１”の部屋には“父”“母”“子”の３人が対応付けられている。従って、制御部３０５は、識別番号“０００１”の照明機器と、識別番号“０００２”の室内機と、識別番号“０００３”のテレビジョン受像機（ＴＶ）の３つが、“父”“母”“子”の３人に対応付けられることが分かる。
【００５１】
同様にして、制御部３０５は、すべての機器について、対応付けられるユーザを判別することができる。
【００５２】
一般に、図４（ａ）に示すレイアウト定義テーブル４００と図６（ａ）に示す部屋−ユーザ対応付けテーブル６００は頻繁に変更されることはなく、ユーザは、一旦入力すれば、家の改築や引っ越し等が無い限り、変更する必要はない。また、図５（ａ）に示す機器−部屋対応付けテーブル５００については、ユーザは、機器を新規に購入したり機器を入れ替えたりするときに変更すればよいのであって、これも頻繁に変更が必要になるわけではない。ユーザは、どの部屋を誰が主に使うのか（すなわち部屋−ユーザ対応付けテーブル６００）や、どこが誰の部屋か（すなわち機器−部屋対応付けテーブル５００の内容）を意識する機会が多いものの、どの機器を誰が主に使うのかを意識する機会は少ない。特に家庭においては、ユーザに機器と主な使用者との対応付けを予め直接入力させることは自然ではない。しかし、本実施形態のレイアウト定義テーブル４００と機器−部屋対応付けテーブル５００と部屋−ユーザ対応付けテーブル６００とを用いれば、コントローラ１２０は、ユーザに負担をかけることなく、機器とユーザとの対応付けを簡単に判別することができる。
【００５３】
機器とユーザとの対応付けが分かると、エネルギーマネジメントシステム１は、ユーザの生活パターンなどに合ったより細かな消費電力の管理や機器の運用が可能になる。エネルギーマネジメントシステム１は、家族の各人の行動予定に基づいて、例えば父に留守するスケジュールが入っている場合にはその予定時刻には自動的に書斎の照明を消すといったように、より効率的なエネルギー管理ができるようになる。
【００５４】
図７に、スケジュール表７００の構成例を示す。スケジュール表７００は、コントローラ１２０の入力部３０１、もしくは、コントローラ１２０と通信可能なパーソナルコンピュータや携帯端末などを用いて、ユーザにより入力され、記憶部３０３に記憶される。１つのスケジュールには、ユーザと、予定の内容と、予定開始日時と、予定終了日時と、その予定を繰り返し設定するか否かを示すフラグと、が対応付けられる。予定の繰り返し設定の仕方は、毎日、平日のみ、休日のみなど、任意である。
【００５５】
例えば、2013年4月23日8時00分から2013年4月23日19時30分までの間、“父”には仕事で家を留守にする予定が入っている。そこで、制御部３０５は、この予定開始日時に、“父”のみに対応付けられる部屋“書斎（識別番号２０２）”の中に設置されている照明機器１０４Ｆ−１がつけっぱなしになっている場合には、照明機器１０４Ｆ−１の電源を落とすように制御する。ただし、制御部３０５は、“父”に対応付けられているものの“母”と“子”にも同時に対応付けられている“リビング（識別番号Ａ０１）”の中に設置されている照明機器１０４Ａ−１と空調機１０２Ａとテレビジョン受像機１０４Ａ−２と床暖房システム１０５の電源が入っていても、落とさない。
【００５６】
例えば、2013年4月23日10時00分から2013年4月23日12時00分までの間、家族全員が留守になるような予定が入っている。そこで、制御部３０５は、この予定期間内には、家族全員が対応付けられる“リビング”に設置されている照明機器１０４Ａ−１と空調機１０２Ａとテレビジョン受像機１０４Ａ−２と床暖房システム１０５の電源をすべて落とすように制御する。
【００５７】
このほか、制御部３０５は、ユーザが宅内にいるかいないかに応じて、各機器及びシステムを制御することができるが、詳しくは他の実施形態で説明する。
【００５８】
次に、本実施形態のエネルギーマネジメントシステム１によって実行されるエネルギーマネジメント処理について、図８のフローチャートを用いて説明する。なお、フローチャートには明記していないが、コントローラ１２０の制御部３０５は、現在の日時を計時するクロックを内蔵しており、エネルギーマネジメント処理と並行して、現在の日時を常に計時している。
【００５９】
まず、制御部３０５は、記憶部３０３に記憶されているスケジュール表７００を読み出し、計時された現在日時が、設定された予定日時になったか否かを判別する（ステップＳ８０１）。例えば、図７に示すようにスケジュール表７００に予定が組まれている場合、制御部３０５は、現在日時が３つの予定開始時刻のいずれかになったか否かを判別する。
【００６０】
計時された現在日時が、設定された予定日時になっていないと判別した場合（ステップＳ８０１；ＮＯ）、制御部３０５はステップＳ８０１の処理を繰り返す。一方、計時された現在日時が、設定された予定日時になったと判別した場合（ステップＳ８０１；ＹＥＳ）、制御部３０５は、スケジュール表７００に基づいて、そのスケジュールに対応付けられているユーザを判別し、そのユーザのユーザ状態が変化すると判別し、さらに、部屋−ユーザ対応付けテーブル６００に基づいて、判別したユーザに対応付けられている部屋の識別番号を判別する（ステップＳ８０２）。
【００６１】
ただし、本実施形態では、判別したユーザ以外の他のユーザも同時に対応付けられている場合、制御部３０５は、このような他のユーザも同時に対応付けられている部屋の識別番号を除外する。例えば、開始予定日時が到来したスケジュールが“予定Ｘ”であった場合、制御部３０５は、この予定Ｘに対応するユーザが“父”であると判別するともに、部屋−ユーザ対応付けテーブル６００に基づいて、“父”にのみ対応付けられている部屋の識別番号“２０２”を取得する。制御部３０５は、識別番号“１０１”“１０１”“１０３”“２０１”のように、“父”に対応付けられているものの“父”以外のユーザも同時に対応付けられている識別番号を除外する。
【００６２】
制御部３０５は、機器−部屋対応付けテーブル５００に基づいて、ステップＳ８０２で判別した部屋の識別番号に対応付けられている機器の識別番号を判別する（ステップＳ８０３）。
【００６３】
例えば、図５（ａ）に示す機器−部屋対応付けテーブル５００において、ステップＳ８０２で判別した部屋の識別番号が“２０２”である場合、制御部３０５は、識別番号“２０２”に対応付けられている機器の識別番号“０００８”（照明機器）を取得する。
【００６４】
そして、制御部３０５は、ステップＳ８０３で判別した識別番号が示す機器について、所定の処理を実行する（ステップＳ８０４）。
【００６５】
所定の処理は、例えば「電源を切る」である。ステップＳ８０４で判別した識別番号が示す機器が照明機器である場合、制御部３０５は、この照明機器の電源を切り、消灯する。ただし、所定の処理の具体的な内容は、本発明によって限定されず、任意である。
【００６６】
なお、制御部３０５は、ステップＳ８０３において複数の機器の識別番号を取得した場合には、それらすべての機器について、所定の処理を実行するものとする。また、所定の処理は、機器ごとに異なっていてもよい。
【００６７】
本実施形態によれば、エネルギーマネジメントシステム１は、ユーザの個別の事情に応じて適切に機器を制御することができる。ユーザが自分の予定を予め入力しておけば、その予定に従って、無駄な電力の消費を自動的に抑えることができる。仮に、ユーザが外出時に照明機器の電源を落とし忘れたとしても、エネルギーマネジメントシステム１によって自動的にその照明機器の電源が落とされるので、効率が良く且つ気が利いた省エネルギー制御が実現される。
【００６８】
なお、ステップＳ８０２において、制御部３０５は、判別したスケジュールに対応付けられているユーザが複数の場合には、それらの複数のユーザの各々個別に対応付けられている部屋の識別番号、及び、それら複数のユーザすべてが対応付けられている部屋の識別番号を取得する。
【００６９】
例えば、ステップＳ８０２で判別したユーザが“父”と“母”の両方であった場合、制御部３０５は、図６（ａ）に示す部屋−ユーザ対応付けテーブル６００から、（１）“父”と“母”の両方に対応付けられている部屋の識別番号“２０１”と、（２）“父”にのみ対応付けられている部屋の識別番号“２０２”と、（３）“母”にのみ対応付けられている部屋の識別番号“１０４”と、の３つを取得する。しかし、“父”と“母”の両方に対応付けられているものの、同時に“子”にも対応付けられている部屋の識別番号“１０１”と“１０２”と“１０３”は、ステップＳ８０４における制御の対象から除外される。
【００７０】
（実施形態２）
次に、実施形態２について説明する。本実施形態では、エネルギーマネジメントシステム１は、ユーザにより登録された予定開始日時と予定終了日時の両方又はいずれか一方に、ユーザにより任意に設定された動作をさせることができる。
【００７１】
図９に、機器−部屋対応付けテーブル９００の構成例を示す。図５（ａ）に示す機器−部屋対応付けテーブル５００と異なり、本実施形態の機器−部屋対応付けテーブル９００には、部屋の識別番号と対応付けて、少なくとも１つの制御パターンを指定する情報が記憶される。図９に示す例では、２つの異なる制御パターンが記憶されている。１つの機器に対応付けられる制御パターンの数は任意である。
【００７２】
例えば、識別番号“０００１”の照明機器には、消灯するように制御される制御パターンＡと、点灯するように制御される制御パターンＢとが設定されている。コントローラ１２０の制御部３０５は、現在日時が予定開始日時又は予定終了日時に達したときに、制御パターンＡが指定されていれば、この識別番号“０００１”の照明機器を消灯させ、制御パターンＢが指定されていれば、この識別番号“０００１”の照明機器を点灯させることになる。
【００７３】
典型的には、スケジュールが示すユーザ状態が、宅内にいることを示す値から、宅外にいることを示す値に変化する場合に、照明機器を消灯するように制御される制御パターンＡが指定される。このようにすれば、ユーザが出かけたときに自動的に照明機器が消灯される。ただし、ユーザが宅内から宅外へ移動したときに実行する処理はこれだけに限られず、空調機１０２の電源オフ、テレビジョン受像機の電源オフ、パーソナルコンピュータの通常モードからスリープモードへの移行など、任意である。
【００７４】
また、スケジュールが示すユーザ状態が、宅外にいることを示す値から、宅内にいることを示す値に変化する場合に、照明機器を点灯するように制御される制御パターンＢが指定される。このようにすれば、ユーザが戻ってきたときに自動的に照明機器が点灯される。ただし、ユーザが宅外から宅内へ移動したときに実行する処理はこれだけに限られず、空調機１０２の電源オン、テレビジョン受像機の電源オン、パーソナルコンピュータのスリープモードから通常モードへの移行など、任意である。
【００７５】
制御パターンによって設定される動作内容は任意である。エネルギーマネジメントシステム１によって機器の種類ごとに予め設定されてもよいし、ユーザが自由に設定できるようにしてもよい。ユーザが自由に設定できるようにする場合、入力部３０１がユーザからの入力を受け付け、もしくは、通信部３０４を介して通信可能な端末（例えば高機能携帯電話など）がユーザからの入力を受け付け、制御部３０５は、受け付けられたユーザからの入力を取得し、取得した入力に基づいて機器−部屋対応付けテーブル９００を更新すればよい。
【００７６】
なお、動作パターンが対応付けられていない機器があってもよい。この場合、この機器は、ユーザのスケジュールに応じた動作の自動制御がなされない。例えば、固定電話機、インターホン、セキュリティシステム等については、動作をオフにすると支障を来す恐れがあるため、設定されなくてもよい。
【００７７】
図１０に、本実施形態のスケジュール表１０００の構成例を示す。図７に示すスケジュール表７００と異なり、図１０に示すスケジュール表１０００には、現在日時が予定開始日時になったときにコントローラ１２０が実行すべき制御を指定する開始時制御パターンと、現在日時が予定終了日時になったときにコントローラ１２０が実行すべき制御を指定する終了時制御パターンと、が記憶される。
【００７８】
開始時制御パターンと終了時制御パターンには、機器−部屋対応付けテーブル９００の中に設定される制御パターンのいずれかが指定される。ただし、予定開始日時に何も動作させなくてよい場合には、制御部３０５は、開始時制御パターンに何も設定しないか、あるいは、開始時制御パターンに何も動作させないことを示す値を設定すればよい。同様に、予定終了日時に何も動作させなくてよい場合には、制御部３０５は、終了時制御パターンに何も設定しないか、あるいは、終了時制御パターンに何も動作させないことを示す値を設定すればよい。
【００７９】
例えば、ユーザは、外出する予定を登録し、外出から帰ってきたときに室内に予め暖房がかかっていることを望む場合、外出するスケジュールの終了時制御パターンに“暖房○○℃”等を設定しておけばよい。このように、省エネルギーを目的として機器を管理するだけでなく、ユーザがより快適な生活を送れるように機器を管理することもできる。
【００８０】
なお、本実施形態におけるエネルギーマネジメント処理の具体的な流れは、図８に示したフローチャートと同じであり、ステップＳ８０４における“所定の処理”を、“開始時制御パターン又は終了時制御パターンによって指定された処理”に変更すればよい。
【００８１】
本実施形態によれば、エネルギーマネジメントシステム１は、ユーザの個別の事情に応じて適切に機器を制御することができる。エネルギーマネジメントシステム１は、省エネルギーを目的とする制御だけでなく、ユーザの所望の動作を適宜自動的に行うことができる。
【００８２】
（実施形態３）
次に、実施形態３について説明する。上記各実施形態では、制御部３０５は、ユーザによって予め入力された行動予定に基づいて、各機器及びシステムを制御している。これに対し、本実施形態では、制御部３０５は、ユーザの在／不在を検知し、検知結果に基づいて、各機器及びシステムを制御する。
【００８３】
具体的には、制御部３０５は、各ユーザが所有する端末装置４０が宅内ネットワーク１０の通信圏内にあるか否かに基づいて、各ユーザが宅内にいるかいないかを判別する。そして、制御部３０５は、ユーザが宅内にいるか否かを示すユーザ状態が変化した場合、そのユーザに対応する機器に所定の処理を実行させる。実行される所定の処理の具体的な内容は任意である。
【００８４】
制御部３０５は、図１１に示すユーザと端末装置４０の識別情報とを対応付ける端末装置−ユーザ対応付けテーブル１１００と、端末装置４０が宅内ネットワーク１０内で通信可能か否かの判別結果とに基づいて、ユーザが宅内にいるかいないかを判別する。
【００８５】
本実施形態では、端末装置４０の識別情報は、ＭＡＣ（Media Access Control Address）アドレスである。ただし、識別情報は、端末装置４０を特定できる情報であればよく、固定ＩＰアドレス、シリアルナンバー、携帯電話機であれば電話番号などでもよい。
【００８６】
制御部３０５は、所定の定期的なタイミングで、各ユーザが所有する端末装置４０にハートビート信号を送信する。制御部３０５は、送信したハートビート信号に対して応答があれば、その端末装置４０は宅内にある、すなわち、その端末装置４０に対応付けられるユーザは宅内にいる、と判別する。そして、制御部３０５は、ユーザ状態に、ユーザが宅内にいることを示す値をセットする。
【００８７】
一方、制御部３０５は、送信したハートビート信号に対して応答がなければ、その端末装置４０との間の通信が途切れたと判別し、その端末装置４０は宅内にない、すなわち、その端末装置４０に対応付けられるユーザは宅内にいない、と判別する。そして、制御部３０５は、ユーザ状態に、ユーザが宅外にいる（宅内にいない）ことを示す値をセットする。
【００８８】
そして、制御部３０５は、ユーザ状態が変化したと判別したユーザに対応付けられる機器に、所定の処理を実行させる。
【００８９】
例えば、宅内にいないと判別したユーザが“父”であった場合、制御部３０５は、図６（ａ）に示す部屋−ユーザ対応付けテーブル６００から、“父”のみに対応付けられている部屋の識別番号“２０２”を取得する。さらに、制御部３０５は、図５（ａ）に示す機器−部屋対応付けテーブル５００から、制御対象の機器の識別番号が“０００８”（照明機器）であると判別する。そして、制御部３０５は、判別した識別番号が“０００８”の機器（照明機器）の電源を落とす。
【００９０】
なお、判別したユーザが複数の場合には、判別した複数のユーザのすべてが対応付けられている機器と、複数のユーザのうち一のユーザのみが対応付けられている機器と、のそれぞれの電源を落とす。
【００９１】
本実施形態によれば、各ユーザが所有する端末装置４０が宅内ネットワーク１０の通信圏内にあるか否かに応じて、ユーザの在／不在を判別し、適切に機器を制御することができる。
【００９２】
本発明は、上述した実施形態に限定されず、種々の変形及び応用が可能である。また、上述した実施形態の各構成要素を自由に組み合わせることも可能である。
【００９３】
上記各実施形態においては、ユーザが予めスケジュールを入力しておき、コントローラ１２０がスケジュールに設定された日時が到来したか否かを判別している。しかし、ユーザが予めスケジュールを入力する代わりに、ユーザが都度制御の実行を指示するようにしてもよい。この場合、コントローラ１２０の制御部３０５は、開始日時が“今すぐ”であり、且つ、終了日時が“未定”のスケジュールがユーザによって入力されたものとみなし、この機器に予め対応付けられた処理を直ちに実行すればよい。
【００９４】
例えば、制御部３０５は、“父”に対応付けられたソフトウェアボタンをディスプレイに表示しておき、このソフトウェアボタンがユーザによって押されると、“父”に対応する機器を判別し、判別した機器に予め対応付けられた処理を直ちに実行する。これにより、“父”に対応付けられるすべての機器について、１回の入力でまとめて一斉に所定の動作をさせることができる。“母”“子”についても同様である。ソフトウェアボタンの代わりにハードウェアボタンを用いることもできる。
【００９５】
制御部３０５は、任意のユーザに対応付けられるボタンを表示し、押されたボタンが示すユーザに対応付けられた機器を判別し、判別した機器に予め対応付けられた処理を実行することができる。
【００９６】
例えば、制御部３０５は、家族の誰でもない“来客”というボタンを表示する。また、部屋−ユーザ対応付けテーブル６００には、“来客”に対応付けて特定の部屋（例えば図２におけるリビング２１０）が予め対応付けられる。制御部３０５は、“来客”ボタンが押されると、“来客”に対応する部屋が“リビング”であることを判別し、“リビング”に対応する機器（図２における照明機器２１１、室内機２１２、ＴＶ２１３、床暖房２１４）に所定の処理を一斉に実行させる。このようにすれば、ユーザは、ボタンひとつで複数の機器を直ちに動作させることができる。
【００９７】
上記のエネルギーマネジメントシステム１の全部又は一部としてコンピュータを動作させるためのプログラムを、メモリカード、ＣＤ−ＲＯＭ、ＤＶＤ、ＭＯ（Magneto Optical disk）などのコンピュータが読み取り可能な記録媒体に格納して配布し、これを別のコンピュータにインストールし、上述の手段として動作させ、あるいは、上述の工程を実行させてもよい。
【００９８】
さらに、インターネット上のサーバ装置が有するディスク装置等にプログラムを格納しておき、例えば、搬送波に重畳させて、コンピュータにダウンロード等するものとしてもよい。
【００９９】
以上のように、上記各実施形態によれば、ユーザの個別の事情に応じて適切に機器を制御することができる。
【符号の説明】
【０１００】
１  エネルギーマネジメントシステム、１０１  自立切替盤、１０２  空調機、１０３  換気システム、１０４  家電機器、１０５  床暖房システム、１０６  ＩＨクッキングヒータ、１０７  給湯システム、１０８  発電システム、１０９  蓄電システム、１１０  電気自動車、１２０  コントローラ、３０１  入力部、３０２  表示部、３０３  記憶部、３０４  通信部、３０５  制御部、４００  レイアウト定義テーブル、５００  機器−部屋対応付けテーブル、６００  部屋−ユーザ対応付けテーブル、７００  スケジュール表、９００  機器−部屋対応付けテーブル、１０００  スケジュール表、  １１００  端末装置−ユーザ対応付けテーブル
【図１】
2014230480.tif 000003
【図２】
2014230480.tif 000004
【図３】
2014230480.tif 000005
【図４】
2014230480.tif 000006
【図５】
2014230480.tif 000007
【図６】
2014230480.tif 000008
【図７】
2014230480.tif 000009
【図８】
2014230480.tif 000010
【図９】
2014230480.tif 000011
【図１０】
2014230480.tif 000012
【図１１】
2014230480.tif 000013